(57)【要約】【課題】ボールの転がる距離に変化をもたらす打点のバラツキを許容でき、意図しないフェイス向きの変化をもたらすシャフト軸周りの過敏な挙動を抑制し、更にヒューマンエラーで起こり得るフェイス向きの変化を補正する「やさしい」性能を有するゴルフパターを提供する。【解決手段】シャフトの軸心２とヘッドの重心１をトー、ヒール方向で一致させた構造とし、同時に、ヘッド４の構造を比重の異なる複数の金属部品を組み合わせて構成することで、重心１周りおよびシャフトの軸心２周りの慣性モーメントを、６，０００ｇ・ｃｍ２以上、かつ、シャフトの軸心２に対し、ヘッド４のフェイス側部分とバックフェイス側部分の質量比を２：１以上とすることで、打点のバラツキを許容するとともにシャフト軸周りの過敏な挙動を抑制するとともに、重力を用いて操作時にフェイス向きを自動的に補正する。【選択図】図２
2020000814.tif 000002
【特許請求の範囲】
【請求項１】
６，０００ｇ・ｃｍ２以上のフェイス中心周りの慣性モーメントを有するヘッド４と、
前記パターヘッドの重心１とトー、ヒール方向で一致する位置にシャフトの軸心２を合わせて取り付けられたシャフト３と、
を備えるゴルフパターであって、
シャフトの軸心２に対し、ヘッド４のフェイス側部分とバックフェイス側部分の質量比が２：１以上となることを特長とするゴルフパター。
【発明の詳細な説明】
【技術分野】
【０００１】  本発明は、ゴルフパターのヘッド構造およびヘッドの重心位置とシャフトとの相対位置に関する。
【背景技術】
【０００２】  ゴルフボールを打つために使用する目的でデザインされた用具がクラブであり、パターとは主としてパッティンググリーン上で使用されるためにデザインされた、ロフト角が１０度以下のクラブである。【０００３】  ヘッドの各部名称は、クラブを構えた時の手前側をヒール、ヒール逆側をトー、打面をフェイス、打面逆側をバックフェイス、地面側をソールと呼ぶ。【０００４】  パターに要求される性能は思った通りの速度と方向でボールを転がすことであるが、フェイスにボールが当たる位置やボールが当たる瞬間のフェイスの向きにより、ボールの転がる速度や方向が決まってしまうため、思ったとおりにボールを転がすことは難しい。【０００５】  そこで、ヒューマンエラーによる打点のバラツキやボールが当たる瞬間のフェイス向きの変化を抑えるような「やさしい」性能を目指して様々な形状、特性を有するヘッドが製造されてきた。【０００６】  「やさしい」性能を確保する方法として、打点周りの慣性モーメントを大きくする方法があり、ヘッドのトー、ヒール側に分散して多くの質量を配したものや、打点後方の奥行を大きくしてバックフェイス側に多くの質量を配したものがあり、それらのヘッドの質量は、３００〜３６０ｇ程度で３，０００〜４，０００ｇ・ｃｍ２の慣性モーメントを有しているものが多い。【０００７】  また、更に大きな打点周りの慣性モーメントを求め、トー、ヒール側の奥行を大きくして、打点から最も遠い位置に多くの質量を配すとともに、質量を３４０〜４００ｇ程度で５，０００〜７，０００ｇ・ｃｍ２の慣性モーメントを有するものや、慣性モーメントが８，０００ｇ・ｃｍ２を超えているものも生み出されてきた。【０００８】  「やさしい」性能を確保するその他の方法として、個々の人間が持つ操作方法の癖や個性に合わせてボールが当たる瞬間のフェイスの向きが合いやすいように、シャフトの軸心とヘッドの重心位置を設定する方法も考案されてきた。【０００９】  シャフト軸心とヘッドの重心位置の関係は、シャフト軸心よりバックフェイス側にヘッドの重心位置があるものが多く、その重心位置はヒール寄りのものからトー寄りのもの、また、その中間まで様々なものがある。【００１０】  その他に、シャフト軸心とヘッドの重心位置が一致したものや、シャフト軸心よりフェイス側にヘッドの重心位置があるものもある。
【先行技術文献】
【特許文献】
【００１１】
【特許文献１】実登３１９３７２９号公報
【発明の概要】
【発明が解決しようとする課題】
【００１２】  パターヘッドの打点に対する慣性モーメントを可能な限り大きくするためには、フェイス面の中央から最も離れた位置の質量配分を大きく設定することになるが、２０１８年６月時点でのゴルフ用具の規定では、パターヘッドの幅は７インチ以下で奥行は幅より小さくしなければならない。【００１３】  このため、打点に対する慣性モーメントをより大きくしていくと、ヘッドの重心位置はバックフェイス側に位置する傾向となる。【００１４】  ゴルフ用具の規定にパターのヘッドに取り付けるシャフトの位置制限は無いが、シャフトの軸心を打点近くに設定されたものが多く、慣性モーメントの大きなヘッドは、結果的にシャフト位置に対してバックフェイス側にヘッドの重心位置が片寄る傾向となる。【００１５】  パターを使用する場合、ゴルフボールを打ち出す逆方向にヘッドを動かした後、ゴルフボール方向に動かしてゴルフボールを狙った方向に転がす使い方をする。【００１６】  その際、振り子運動のようにパターヘッドが若干の上下動を伴いながらの操作をすることが多い。【００１７】  ヘッドの重心位置がシャフトの軸心よりもバックフェイス側に設定されているパターヘッドを操作すると、作用点となるシャフト軸心から重心位置方向に向かって持ち上げ、逆方向に下ろす操作となる。【００１８】  このような操作は物理的に安定しない運動であるため、静止しているヘッドを動かし始めることが難しい。【００１９】  また、シャフトの軸心と重心位置を直線で結んだ方向と移動方向にずれを生じた場合には、回転モーメントが生じてずれが拡大する傾向となるため、フェイスの向きが変わり易く戻りにくい「難しい」性能を併せ持つことになる。【００２０】  ヘッドの重心位置がシャフトの軸心と一致もしくは、シャフトの軸心のフェイス側にあれば物理的に安定した操作となり、静止しているヘッドを動かし始めることを容易にするが、ヘッドの重心位置とシャフトの軸心が近いと離隔した場合に比べてシャフトの軸心周りの慣性モーメントが相対的に小さくなることになり、シャフトの軸心周りの回転運動に対して敏感に反応する「難しい」性能を有することになる。【００２１】  本発明は、上記事情に鑑み、パターヘッドの打点およびシャフトの軸心に対する大きな慣性モーメントを確保して、ヒューマンエラーによる打点のバラツキやボールが当たる瞬間のフェイス向きの変化を抑えるような「やさしい」性能を確保するとともに、人間の操作に伴うフェイス向きの変化を自動的に補正する性能を提供することを目的とする。
【課題を解決するための手段】
【００２２】  上記の目的を達するために、この発明は以下の手段を提供している。【００２３】  シャフトの軸心とヘッドの重心をトー、ヒール方向で一致させた構造とし、同時に、ヘッドの構造を比重の異なる複数の金属部品を組み合わせて構成することで、重心周りおよびシャフトの軸心周りの慣性モーメントを、６，０００ｇ・ｃｍ２以上、かつ、シャフトの軸心に対し、ヘッドのフェイス側部分とバックフェイス側部分の質量比を２：１以上とすることを特徴としている
【発明の効果】
【００２４】  本発明のパターヘッドを用いる事により、静止しているヘッドを動かし始める操作を容易にする。【００２５】  また、操作に伴うフェイス向きの変化を修正する方向にパターヘッドが挙動することで、ヒューマンエラーによるボールを転が方向のずれを補正する。
【図面の簡単な説明】
【００２６】
【図１】  本発明の一実施形態に係るパターヘッドのフェイス側姿図である。
【図２】  本発明の一実施形態に係るパターヘッドの上面図および断面構造を示す図である。
【発明を実施するための形態】
【００２７】  本発明の一実施形態に係るパターのヘッド構造について図面を用いて説明する。
【００２８】  図１は、本発明の一実施形態に係るパターヘッドのフェイス側姿図であり、図２は、比重の異なる金属を組み合わせた断面構成を記した本発明の一実施形態に係るパターヘッドの断面構造を示す図および上面姿図である。
【００２９】  図１、図２に示すように、シャフトの軸心２とヘッドの重心位置１をトー、ヒール方向で一致させている。
【００３０】  ヘッド４のフェイス部分５ｂは、比重が７．８程度のステンレススチール等のスチール合金であり、トー、ヒール側に分散して配置したヘッド４のトー側の重り６およびヒール側の重り７は、比重が１４〜１８程度のタングステン合金で構成している。
【００３１】  ヘッドのバックフェイス部分５ａは、比重２．８程度のアルミ合金であり、トー、ヒール側に分散して配置したバックフェイストー側の重り８およびバックフェイスヒール側の重り９は、比重が７．８程度のステンレススチール等のスチール合金で構成している。
【００３２】  また、ヘッドのバックフェイス部分５ａは、ヘッドの重心位置１に近い剛性上問題ない部位に、穴開け等による肉抜き部分１０を設定している。
【００３３】  図１に示すヘッド４は、幅１３０ｍｍ、フェイスの高さ２５ｍｍで、質量は４０５ｇであるが、打点となるフェイス中心周りの慣性モーメントは、６，７５０ｇ・ｃｍ２の数値であり、シャフト軸心に対し、フェイス側となるヘッド４の部位とバックフェイス側となるヘッド４の部位の質量比は２：１以上となる構造となっている。
【００３４】  なお、上述した実施の形態において示した各構成部材の諸形状や組み合わせ等は一例であって、本発明の主旨から逸脱しない範囲において設計要求等に基づき種々変更可能である。
【００３５】  例えば、非力なジュニアゴルファーや女性の使用を主な目的として、ヘッド４の質量を若干軽量な３００ｇとし、打点となるフェイス中心周りの慣性モーメントを６，０００ｇ・ｃｍ２の数値で設計することや、逆にヘッド４の質量を４５０ｇ超として、打点となるフェイス中心周りの慣性モーメントを８，０００ｇ・ｃｍ２の数値で設計することも可能である。
【００３６】  また、上記に示す実施形態では、比重２．８程度のアルミ合金と主体としているが、剛性を損なわない範囲で、より比重の軽い樹脂やＣＦＲＰやＦＲＰなどの繊維強化プラスチックを用いても良いし、比重が７．８程度のステンレススチール等のスチール合金としたフェイス中央部分にアルミ合金や樹脂などを用いても良いし、タングステン合金の代わりに鉛合金や金、プラチナ等の比重の大きな金属を用いた合金を用いても良い。
【符号の説明】
【００３７】１      ヘッドの重心
２      シャフトの軸心
３      シャフト
４      ヘッド
５ａ    バックフェイス部分
５ｂ    フェイス部分
６      フェイストー側の重り
７      フェイスヒール側の重り
８      バックフェイストー側の重り
９      バックフェイスヒール側の重り
１０    肉抜き部分（穴開け等）
【図１】
2020000814.tif 000003
【図２】
2020000814.tif 000004